(57)【要約】【課題】筐体の背面に倒伏した状態と所定の回動角度との間で回動するように軸支されたスタンドを有する卓上・壁掛け兼用型電子機器において、壁に傾けて掛ける際に筐体を大きく突出させないようにした卓上・壁掛け兼用型電子機器を提供する。【解決手段】卓上・壁掛け兼用型電子機器１０の背面２０１に倒伏した状態と所定の回動角度との間で回動するようにスタンド３０を設け、スタンド３０の脚部３０１ａ、３０１ｂ表面に第一の壁掛部３１２ａ、３１２ｂを設けると共に、スタンド３０の回動位置が脚部３０１ａ、３０１ｂの表面の延長線上に筐体２０の上方後縁２０３が位置する状態で保持される第一の保持部３１１ａ、３１１ｂを備え、壁掛けの際に上方後縁２０３を壁面に直接に接するように構成した。【選択図】図５
2011078061.tif 000002
【特許請求の範囲】
【請求項１】
筐体の背面において倒伏した状態と所定の回動角度との間で回動するように軸支されて配された卓上載置用のスタンドの脚部表面に設けた壁掛け手段と、
前記スタンドの回動位置を前記脚部の表面の延長線上に前記筐体の上方後縁が位置する状態で保持するための保持手段と、を備えてなることを特徴とする卓上・壁掛け兼用型電子機器。
【請求項２】
前記保持手段は、前記脚部の先端部分で倒伏した状態から垂立する起立状態に回動自在に軸支され最大に回動された起立状態で先端が前記筐体の背面に当接する回動体と、該回動体が垂立した起立状態を係止する係止手段と、によって構成されていることを特徴とする請求項１に記載の卓上・壁掛け兼用型電子機器。
【請求項３】
筐体の背面において倒伏した状態と所定の回動角度との間で回動するように軸支されて配された卓上載置用のスタンドの脚部表面に設けた第一の壁掛け手段と、
前記スタンドの回動位置を前記脚部の表面の延長線上に前記筐体の上方後縁が位置する状態で保持するための第一の保持手段と、
前記スタンドを回動して起立させ前記脚部の裏面を露出させたときに露出する、該脚部の裏面に設けられた設置面と、
前記設置面に設置された第二の壁掛け手段と、
前記設置面の延長線上に前記筐体の下方縁部が位置する状態で該設置面を保持するための第二の保持手段と、を備えてなることを特徴とする卓上・壁掛け兼用型電子機器。
【請求項４】
前記第一の保持手段は、前記脚部の先端部分で倒伏した状態から垂立する起立状態に回動自在に軸支され最大回動された起立状態で先端が前記筐体の背面に当接する回動体と、該回動体が垂立した起立状態を係止する第一の係止手段と、によって構成されていることを特徴とする請求項３に記載の卓上・壁掛け兼用型電子機器。
【請求項５】
前記第一の保持手段は、前記脚部の先端部分で倒伏した状態から垂立する起立状態に回動自在に軸支され最大回動された起立状態で先端が前記筐体の背面に当接する回動体と、該回動体が垂立した起立状態を係止する第一の係止手段とから形成され、
前記設置面は前記回動体の表面に形成され、
前記第二の保持手段は、前記設置面の延長線上に前記筐体の下方縁部がある状態で前記スタンドの最大回動範囲を制限する制限手段と、前記回動体を前記脚部に係止して保持する第二の係止手段とから形成されていることを特徴とする請求項３に記載の卓上・壁掛け兼用型電子機器。
【発明の詳細な説明】
【技術分野】
【０００１】
本発明は、卓上に載置して使用する場合と壁に掛けて使用する場合との両方の使用を可能にする卓上・壁掛け兼用型電子機器に関し、特に、背面にスタンドを設けた卓上・壁掛け兼用型電子機器に関するものである。
【背景技術】
【０００２】
近年、例えば電話機などの電子機器においては、卓上に載置して使用するだけでなく壁に掛けて使用することがある。そのため、卓上に載置することと壁に掛けることを選択できる構成をとるものがある。
【０００３】
この種の卓上・壁掛け兼用型電子機器としては、例えば、下記の特許文献１（特開２００７−９６８７８号公報）に示す従来技術が提案されている。この卓上・壁掛け兼用型電子機器は、本体の表面側にテンキー、送受話器などを配し、背面にスタンドを倒伏、起立自在に設け、卓上に載置する際にはスタンドを起立させて使用に適したように本体表面を傾けるようになっている。一方、背面には壁掛け部が設けられている。この壁掛け部はスタンドを倒伏した状態で背面上に露出するようになっている。そして、壁に取付けたフック部材に壁掛け部を係止して卓上・壁掛け兼用型電子機器を壁に掛けるようになっている。
【０００４】
このような構成の従来の卓上・壁掛け兼用型電子機器は、卓上に載置して使用する場合にはスタンドを起立し、壁に掛けて使用する場合にはスタンドを倒伏し壁掛け部を壁のフック部材に係止して用いられている。従って、卓上・壁掛け兼用型電子機器は異なる使用形態が選択できる有効なものである。
【０００５】
また、従来の卓上・壁掛け兼用型電子機器には、下記の特許文献２（特開２００４−２６６０８７号公報）に示す他の技術が提案されている。この従来技術は卓上で使用するときに電子機器の設置角度を設定できるようにしたものである。この技術は電子機器のロアーケースの底面に壁掛け用の掛け止め部とスタンドを設けている。スタンドは回動自在に取付けられている。また、ロアーケースの底面にはアームが軸支して設けられており、このアームには第一の係合部と第二の係合部とが設けられている。これら第一の係合部、第二の係合部にはスタンドのステーが係合するようになっている。
【０００６】
卓上用として使用する場合は、ステーが第一の係合部、第二の係合部との係合を選択することによりスタンドの回動位置を変更し、その位置を保持するようにして電子機器の卓上での設置角度を選択設定できるようにしたものである。一方、壁掛け用として使用する場合は、スタンド、アームを折りたたんでロアーケースの底部に対接して掛け止め部を露出させる。そして、掛け止め部を壁のフックに掛けて電子機器の壁掛けを行っている。
【先行技術文献】
【特許文献】
【０００７】
【特許文献１】特開２００７−９６８７８号公報（段落(００１０)、(００１３)、(００１８)〜(００２１)）
【特許文献２】特開２００４−２６６０８７号公報（段落(００１４)〜(００１８)、(００２２)、(００２４)、(００２８)）
【発明の概要】
【発明が解決しようとする課題】
【０００８】
しかしながら、従来の卓上・壁掛け兼用型電子機器においては、スタンドなどを折りたたんで壁掛け用として用いる場合には電子機器が壁面に平行に掛けられているだけであって操作面を変更することができない。そのため、使用者が卓上で使用すると同様に壁に掛けた状態で操作面を傾けて使用することができないという問題点があった。
【０００９】
したがって、本発明は、上記の問題点を解消することを課題とし、卓上・壁掛け兼用型電子機器を壁に掛けて使用する際にその操作面を壁面に対して予め定めた傾きを選択的できる卓上・壁掛け兼用電子機器を提供することを目的とするものである。
【課題を解決するための手段】
【００１０】
前記課題を解決するために、本願の請求項１にかかる卓上・壁掛け兼用型電子機器の発明は、筐体の背面において倒伏した状態と所定の回動角度との間で回動するように軸支されて配された卓上載置用のスタンドの脚部表面に設けた壁掛け手段（例えば、第一の壁掛け部３１２ａ、３１２ｂ）と、前記スタンドの回動位置を前記脚部の表面の延長線上に前記筐体の上方後縁が位置する状態で保持するための保持手段（第一の保持部３１１ａ、３１１ｂ）と、を備えてなることを特徴とする。
【００１１】
また、本願の請求項２に係る発明は、請求項１に係る卓上・壁掛け兼用型電子機器において、前記保持手段は、前記脚部の先端部分で倒伏した状態から垂立する起立状態に回動自在に軸支され最大に回動された起立状態で先端が前記筐体の背面に当接する回動体と、該回動体が垂立した起立状態を係止する係止手段（例えば、第一の係止部３１０ａ、３１０ｂ）と、によって構成されていることを特徴とする。
【００１２】
本願の請求項３にかかる卓上・壁掛け兼用型電子機器の発明は、筐体の背面において倒伏した状態と所定の回動角度との間で回動するように軸支されて配された卓上載置用のスタンドの脚部表面に設けた第一の壁掛け手段（例えば、第一の壁掛け部３１２ａ、３１２ｂ）と、前記スタンドの回動位置を前記脚部の表面の延長線上に前記筐体の上方後縁が位置する状態で保持するための第一の保持手段（第一の保持部３１１ａ、３１１ｂ）と、前記スタンドを回動して起立させ前記脚部の裏面を露出させたときに露出する、該脚部の裏面に設けられた設置面と、前記設置面に設置された第二の壁掛け手段（例えば、第二の壁掛け部３１７ａ、３１７ｂ）と、前記設置面の延長線上に前記筐体の下方縁部が位置する状態で該設置面を保持するための第二の保持手段（第二の保持部３２２ａ、３２２ｂ）と、
を備えてなることを特徴とする。
【００１３】
また、本願の請求項４に係る発明は、請求項３に係る卓上・壁掛け兼用型電子機器において、前記第一の保持手段は、前記脚部の先端部分で倒伏した状態から垂立する起立状態に回動自在に軸支され最大回動された起立状態で先端が前記筐体の背面に当接する回動体と、該回動体が垂立した起立状態を係止する第一の係止手段（例えば、第一の係止部３１０ａ、３１０ｂ）と、によって構成されていることを特徴とする。
【００１４】
また、本願の請求項５に係る発明は、請求項３に係る卓上・壁掛け兼用型電子機器において、前記第一の保持手段は、前記脚部の先端部分で倒伏した状態から垂立する起立状態に回動自在に軸支され最大回動された起立状態で先端が前記筐体の背面に当接する回動体と、該回動体が垂立した起立状態を係止する第一の係止手段とから形成され、前記設置面は前記回動体の表面に形成され、
前記第二の保持手段は、前記設置面の延長線上に前記筐体の下方縁部がある状態で前記スタンドの最大回動範囲を制限する制限手段（例えば、ストッパー３２３ａ、３２３ｂ）と、前記回動体を前記脚部に係止して保持する第二の係止手段（例えば、第二の係止部３２４ａ、３２４ｂ）とから形成され、ていることを特徴とする。
【発明の効果】
【００１５】
本発明のスタンド装置は、次に示すような優れた効果を奏する。すなわち、請求項１に係る発明においては、卓上・壁掛け兼用型電子機器の筐体の背面に倒伏した状態と所定の回動角度との間で回動するスタンドを設け、スタンドの脚部表面に壁掛け手段を設けると共に、スタンドの回動位置が脚部の表面の延長線上に筐体の上方後縁が位置する状態で保持される保持手段を備えている。
【００１６】
このような構成によれば、卓上・壁掛け兼用型電子機器は、従前のようにスタンドを所定の回動角度に起立させることによって卓上・壁掛け兼用型電子機器が操作面を上方に傾斜させて操作しやすい状態で卓上に載置できる。そして、従前のように卓上に設置できるだけでなく、壁に掛けて使用する場合は、スタンドを倒伏した状態で壁掛け手段を用いて壁に掛けることと、スタンドを保持手段で保持される角度に維持された状態で壁掛け手段を用いて壁に掛けることを可能とする。そのため、卓上・壁掛け兼用型電子機器は壁掛け用として使用する場合は、壁面に平行に位置させることと、壁面に対して卓上・壁掛け兼用型電子機器を上方に傾けて位置させることができる。
【００１７】
従って、卓上・壁掛け兼用型電子機器は、壁掛け位置が使用者の正面の壁の位置である場合には、正面を向いた使用者に操作面を対向して位置させることができる。一方、卓上・壁掛け兼用型電子機器は、使用者が正面を向いているときの目線よりも低い壁の位置に設置された場合には、操作面が上方に傾けて掛けられるのでその操作が容易となる。しかも、筐体の上方後縁が壁に当接するので、壁掛け状態が安定する。即ち、使用者が壁に掛けて使用する場合に操作面を見やすいような角度の選択が行える卓上・壁掛け兼用型電子機器を提供できる。
【００１８】
特に、卓上・壁掛け兼用型電子機器は、その背面が直接的に壁面に接して掛けられるので、安定して設置されるだけでなく壁面から大きく突出して邪魔をすることがない効果を有する。
【００１９】
また、請求項２に係る発明においては、請求項１に係る卓上・壁掛け兼用型電子機器において、保持手段は、スタンドの脚部の先端部分で倒伏した状態から垂立する起立状態に回動自在に軸支され起立状態で先端が筐体の背面に当接する回動体と、回動体が垂立した起立状態を係止する係止手段とからなる。
【００２０】
このような構成によれば、卓上・壁掛け兼用型電子機器は、壁に掛けて使用する際にスタンドを倒伏した状態から回動させその回動位置を回動体で決定し、その状態を保持手段によって保持するので、卓上・壁掛け兼用型電子機器が壁掛け手段によって傾けて壁に掛けられている状態が確実に保持される。特に、操作面を強く押圧されても傾きの位置が変化してしまうことがない卓上・壁掛け兼用型電子機器を提供できる。
【００２１】
また、請求項３に係る発明においては、卓上・壁掛け兼用型電子機器の筐体の背面に倒伏した状態と所定の回動角度との間で回動するスタンドを設け、スタンドの脚部表面に第一の壁掛け手段を設け、スタンドの回動位置が脚部の表面の延長線上に筐体の上方後縁が位置する状態で保持される第一の保持手段を設けている。そして、スタンドを回動して脚部の裏面を露出させたときに露出する脚部の裏面に設置面を設け、設置面に第二の壁掛け手段を設置し、設置面の延長線上に前記筐体の下方縁部が位置する状態で該設置面を保持するための第二の保持手段を設けている。
【００２２】
このような構成によれば、卓上・壁掛け兼用型電子機器は、従前のようにスタンドを所定の回動角度に起立させることによって卓上・壁掛け兼用型電子機器が操作面を上方に傾斜させて操作しやすい状態で卓上に載置できる。そして、従前のように卓上に設置できるだけでなく、壁に掛けて使用する場合には、スタンドを倒伏した状態で第一の壁掛け手段によって壁に掛けること、スタンドを第一の保持手段で保持される角度で第一の壁掛け手段によって壁に掛けること及びスタンドを第二の保持手段で保持される脚部の裏面が露出した状態で第二の壁掛け手段によって壁に掛けることを可能とする。そのため、卓上・壁掛け兼用型電子機器を壁掛け用として使用する場合には、操作面を壁面に平行に位置させること、操作面を壁面に対して上方に傾けて位置させること及び操作面を壁面に対して下方に傾けて位置させることの３通りの選択ができる。
【００２３】
従って、卓上・壁掛け兼用型電子機器は、壁掛け位置が使用者の正面の壁の位置にある場合には、正面を向いた使用者に対して操作面を対向して位置させることができる。一方、卓上・壁掛け兼用型電子機器は、使用者が正面を向いているときの目線よりも低い壁の位置に設置された場合には、操作面が上方に傾けて掛けられるのでその操作が容易となる。更に、使用者が正面を向いているときの目線よりも高い位置に掛けられた場合には、操作面が下方に傾けられるのでその操作が容易となる。即ち、使用者が壁に掛けて使用する場合に操作面を見やすいような３通りの角度の選択が行える卓上・壁掛け兼用型電子機器を提供できる。
【００２４】
特に、卓上・壁掛け兼用型電子機器は、その背面が直接的に壁面に接して掛けられるので、安定して設置されるだけでなく壁面から大きく突出して邪魔をすることがない効果を有する。
【００２５】
また、請求項４に係る発明においては、請求項３に係る卓上・壁掛け兼用型電子機器において、第一の保持手段は、スタンドの脚部の先端部分で倒伏した状態から垂立する起立状態に回動自在に軸支され起立状態で先端が筐体の背面に当接する回動体と、回動体が垂立した起立状態を係止して保持する第一の係止手段とからなる。
【００２６】
このような構成によれば、卓上・壁掛け兼用型電子機器は、操作面を上向きに傾けて壁に掛けて使用する際には、スタンドを倒伏した状態から回動させその回動位置を回動体で決定し、その状態を第一の係止手段によって係止された第一の保持手段によって保持するので、第一の壁掛け手段によって傾けて壁に掛けられている卓上・壁掛け兼用型電子機器の位置が確実に保持される。特に、操作面を強く押圧されても傾きの位置が変化してしまうことがない卓上・壁掛け兼用型電子機器を提供できる。
【００２７】
また、請求項５に係る発明においては、請求項３に係る卓上・壁掛け兼用型電子機器において、第一の保持手段は、スタンドの脚部の先端部分で倒伏した状態から垂立する起立状態に回動自在に軸支され起立状態で先端が筐体の背面に当接する回動体と、回動体が垂立した起立状態を係止して保持する第一の係止手段とからなり、設置面は回動体の表面に形成されている。そして、第二の保持手段は、設置面の延長線上に筐体の下方縁部がある状態でスタンドの最大回動範囲を制限する制限手段と、回動体を脚部に係止して保持する第二の係止手段とからなる。
【００２８】
このような構成によれば、卓上・壁掛け兼用型電子機器は、操作面を上向きに傾けて壁に掛けて使用する際に、スタンドを倒伏した状態から回動させその回動位置を回動体で決定し、その状態を第一の係止手段によって係止された第一の保持手段によって保持するので、第一の壁掛け手段によって傾けて壁に掛けられている卓上・壁掛け兼用型電子機器の位置が確実に保持される。
【００２９】
一方、卓上・壁掛け兼用型電子機器は、操作面を下向きに傾けて壁に掛けて使用する際には、スタンドを制限手段によって制限されるまで大きく回動させ、回動体を脚部に対して回動し係止手段によって係止することにより、設置面の延長線上に筐体の下方縁部があるように設定できる。そのため、設置面に設けた第二の壁掛け手段により卓上・壁掛け兼用型電子機器を下方に傾けて壁に掛けて位置させることができる。従って、卓上・壁掛け兼用型電子機器は、その背面が直接的に壁面に接して掛けられるので、安定して設置されるだけでなく壁面から大きく突出して邪魔をすることがない。また、操作面を強く押圧されても傾きの位置が変化してしまうことがない卓上・壁掛け兼用型電子機器を提供することができる。
【図面の簡単な説明】
【００３０】
【図１】本発明の一実施例に係る卓上・壁掛け兼用型電子機器を背面側から見た斜視図である。
【図２】図１における卓上・壁掛け兼用型電子機器をA-―A線で切断した断面図である。
【図３】図１における卓上・壁掛け兼用型電子機器をスタンドによって卓上に載置した状態を示す背面側から見た斜視図である。
【図４】図１における卓上・壁掛け兼用型電子機器について操作面を上方に傾けて壁に掛けるときの背面下方から見た斜視図である。
【図５】図４における卓上・壁掛け兼用型電子機器をＢ―Ｂ線で切断し操作面を上方に傾けて壁に掛けた状態を示す断面図である。
【図６】図１における卓上・壁掛け兼用型電子機器を操作面を下方に傾けて壁に掛けるときの背面から見た斜視図である。
【図７】図６おける卓上・壁掛け兼用型電子機器をC―C線で切断し操作面を下方に傾けて壁に掛けるときの背面から見た斜視図である。
【図８】図２における回動体部分を拡大して示す断面図である。
【図９】図８における回動体部分を示す斜視図である。
【図１０】図５における回動体部分を拡大して示す断面図である。
【図１１】図１０における回動体部分を示す斜視図である。
【図１２】図７における回動体部分を拡大して示す断面図である。
【図１３】図１２における回動体部分を示す斜視図である。
【発明を実施するための形態】
【００３１】
以下、本発明の具体例を実施例及び図面を用いて詳細に説明する。但し、以下に示す実施例は、本発明の技術的思想を具体化するための卓上・壁掛け兼用型電子機器を例示するものであって、本発明をこの卓上・壁掛け兼用型電子機器に特定することを意図するものでなく、特許請求の範囲に含まれるその他の実施形態の卓上・壁掛け兼用型電子機器にも等しく適用し得るものである。
【実施例】
【００３２】
本実施例に係る卓上・壁掛け兼用型電子機器１０は、図１、図２で示すように、電子機器である矩形で扁平の電話機の筐体２０と、筐体２０の背面２０１に設けられたスタンド３０で構成されている。筐体２０の前面２０２は操作面であってハンドセットが設置されていると共に、多数の機能ボタン、ダイヤルボタン、表示面などが配されている。
【００３３】
スタンド３０は、互いに離間して配された一対の脚部３０１ａ、３０１ｂと、これら脚部３０１ａ、３０１ｂの各其端部間を連結する連結部３０２とからなり、これら脚部３０１ａ、３０１ｂは各其端部が第一の支軸３０３ａ、３０３ｂによって筐体２０に回動自在に軸支されている。そして、第一の支軸３０３ａ，３０３ｂは、スタンド３０が背面２０１に倒伏した状態と、最大起立して約１６０度回動した位置とをとるように設定されている。また、第一の支軸３０３ａ，３０３ｂは、脚部３０１ａ、３０１ｂが約６０度の回動位置においてその位置が保持されるクリックストップ機構（図示せず）を備えて構成されている。
【００３４】
これら脚部３０１ａ、３０１ｂは、特に図９に示すように、全体的に扁平な直方体状で形成され断面がコ字状であって背面側に凹部３０４ａ、３０４ｂが形成されている。脚部３０１ａ、３０１ｂの先端側には、回動体３０５ａ、３０５ｂが第二の支軸３０６ａ、３０６ｂによって回動自在に軸支して設けられている。これら回動体３０５ａ、３０５ｂは軸支された基部が脚部３０１ａ、３０１ｂの先端寄りに位置し、回動体３０５ａ、３０５ｂの先端が倒伏状態で脚部３０１ａ、３０１ｂの基部寄りに位置して設けられている。
【００３５】
これら回動体３０５ａ、３０５ｂは、倒伏した状態では凹部３０４ａ、３０４ｂ内に位置し、最大起立したときに約９０度の回動角度をとるようにストッパー３０７ａ、３０７ｂによって設定されている。この回動体３０５ａ、３０５ｂが起立した状態は図１１によって示されている。
【００３６】
これら回動体３０５ａ、３０５ｂが起立して先端を背面２０１に当接させた状態では、図５に示すように、脚部３０１ａ、３０１ｂの起立した回動角度が約１０度になるように脚部３０１ａ、３０１ｂの長さ、回動体３０５ａ、３０５ｂの長さ及び第二の支軸３０６ａ、３０６ｂの取付け位置などが予め選定されている。そして、この脚部３０１ａ、３０１ｂの選定された起立状態は、脚部３０１ａ、３０１ｂの表面の延長線Ｌ１上に筐体２０の上方後縁２０３が位置するように設定されている。
【００３７】
卓上・壁掛け兼用型電子機器１０は、特に図１０に示すように、回動体３０５ａ、３０５ｂの先端に形成された係止用孔３０８ａ、３０８ｂと、回動体３０５ａ、３０５ｂの先端が当接する背面２０１に形成され係止用孔３０８ａ、３０８ｂに係合可能な係止用爪３０９ａ、３０９ｂとを備えている。これらは第一の係止手段に相当する第一の係止部３１０ａ、３１０ｂを構成している。そして、これら第一の係止部３１０ａ、３１０ｂと、回動体３０５ａ、３０５ｂとは、スタンド３０を約１０度起立した状態で保持する第一の保持手段に相当する第一の保持部３１１ａ、３１１ｂを構成している。
【００３８】
脚部３０１ａ、３０１ｂの夫々基部に接近した位置には、第一の壁掛け手段に相当する第一の壁掛け部３１２ａ、３１２ｂが設置されている。この第一の壁掛け部３１２ａ、３１２ｂは、特に、図１、図３で明らかなように、縦長状の楕円形の開口３１３ａ、３１３ｂと、開口３１３ａ、３１３ｂの上部分を塞ぎ小さく切り欠かれた切り欠き３１４ａ，３１４ｂを有する係止用プレート３１５ａ、３１５ｂとから構成されている。
【００３９】
前記回動体３０５ａ、３０５ｂの表面には、特に図９に示すように、平面状の設置面３１６ａ、３１６ｂが形成されている。この設置面３１６ａ、３１６ｂには第二の壁掛け手段に相当する第二の壁掛け部３１７ａ、３１７ｂが設置されている。この第二の壁掛け部３１７ａ、３１７ｂは、特に図６、図１３で明らかなように、縦長状の楕円形の開口３１８ａ、３１８ｂと、開口３１８ａ、３１８ｂの上部分を塞ぎ小さく切り欠かれた切り欠き３１９ａ，３１９ｂを有する係止用プレート３２０ａ、３２０ｂとから構成されている。
【００４０】
また、卓上・壁掛け兼用型電子機器１０は、図４、図５に示すように、筐体２０の底部と背面２０１の下方とに夫々一対のゴム材を用いて滑り止め処理が施された突起２０４ａ、２０４ｂ、足２０５ａ、２０５ｂが設けられている。一方、脚部３０１ａ、３０１ｂの先端には、同じくゴム材によって滑り止め処理が施された突起３２１ａ、３２１ｂが設けられている。
【００４１】
更に、卓上・壁掛け兼用型電子機器１０は、図７に示すように、側方からみて設置面３１６ａ、３１６ｂの延長線Ｌ２上に筐体２０の下方縁部、即ち、足２０４ａ、２０４ｂの先端が位置する状態で設置面３１６ａ、３１６ｂを保持する第二の保持部３２２ａ、３２２ｂが設けられている。この第二の保持部３２２ａ，３２２ｂは第二の保持手段に相当する。
【００４２】
この第二の保持部３２２ａ、３２２ｂは、スタンド３０が最大回動範囲の約１６０度回動した位置で回動を制限される制限手段に相当するストッパー３２３ａ、３２３ｂと、回動体３０５ａ、３０５ｂが約１５度回動した位置で係止して保持する第二の係止手段に相当する第二の係止部３２４ａ、３２４ｂとから形成されている。すなわち、スタンド３０が裏面を露出するまで回動し、この裏面に設置面３１６ａ、３１６ｂが現れる状態で保持される第二の保持部３２２ａ、３２２ｂが設けられている。
【００４３】
この第二の係止部３２４ａ、３２４ｂは、図１２に示すように、凹部３０４ａ、３０４ｂの側壁に設けられた突起からなり、回動体３０５ａ、３０５ｂの側壁縁に当接して回動体３０５ａ、３０５ｂの回動動作を一時的に停止するように構成されている。
【００４４】
また、回動体３０５ａ、３０５ｂの側壁には、図８、図９で示すように、回動体３０５ａ、３０５ｂが凹部３０４ａ、３０４ｂ内に倒伏した状態において、第二の係止部３２４ａ、３２４ｂの突起が係合する係合用孔３２５ａ、３２５ｂが形成されている。そして、この係合状態は回動体３０５ａ、３０５ｂを強く回動させることにより解除可能になっている。回動体３０５ａ、３０５ｂの支点側の側面には係止孔３２６ａ、３２６ｂが形成されている。そして、回動体３０５ａ、３０５ｂが倒伏したときに係止用孔３２６ａ、３２６ｂに係止用爪３０９ａ、３０９ｂが係合するようになっている。
次に、上述した本実施例の卓上・壁掛け兼用型電子機器１０の取扱い方法について説明する。
【００４５】
まず、卓上・壁掛け兼用型電子機器１０を卓上に傾けて載置して使用する場合について説明する。この場合は、図３に示すように、スタンド３０を倒伏した状態から約６０度回動させる。この起立状態は第一の支軸３０３ａ、３０３ｂにおけるクリックストップ機構によって保持される。
【００４６】
従って、卓上・壁掛け兼用型電子機器１０はスタンド３０によって支えられて卓上に操作面を上方に向けて傾けられて載置される。この載置状態では筐体２０が突起２０４ａ、２０４ｂと脚部３０１ａ、３０１ｂの突起３２１ａ、３２１ｂとによって卓上に安定して
位置される。
【００４７】
次に、卓上・壁掛け兼用型電子機器１０を壁に掛けて使用する方法について説明するが、この方法には以下の３通りがある。
【００４８】
第一には、図２で示すように、卓上・壁掛け兼用型電子機器１０を壁面に平行に設置する方法である。この方法がとられる場合は、卓上・壁掛け兼用型電子機器１０を掛ける位置が、使用者が正面を向いたときに目線の高さにあるときである。この方法では、スタンド３０を倒伏した状態で、第一の壁掛け部３１２ａ、３１２ｂを壁面に設けられたフック４０ａ、４０ｂに掛ける。フック４０ａ、４０ｂに掛けるときは、フック４０ａ、４０ｂの頭部を開口３１８ａ、３１８ｂを通過させ、その後、卓上・壁掛け兼用型電子機器１０を下方に移動させてフック４０の軸を切り欠き３１９ａ、３１９ｂに挿通させた状態とする。
【００４９】
従って、フック４０ａ，４０ｂは切り欠き３１９ａ、３１９ｂから抜けないように係止される。そして、スタンド３０は壁面に接するので、卓上・壁掛け兼用型電子機器１０は壁面に平行な状態で掛けられる。そのため、卓上・壁掛け兼用型電子機器１０の操作面は、使用者が正面を向いたときの目線に対向して位置される。
【００５０】
スタンド３０が倒伏した状態は、図１、図８及び図９で示すように、回動体３０５ａ、３０５ｂが脚部３０１ａ、３０１ｂの凹部３０４ａ、３０４ｂ内に収納された状態で筐体２０に係止されることによって達成される。ここで、回動体３０５ａ、３０５ｂを脚部３０１ａ、３０１ｂの凹部３０４ａ、３０４ｂ内に収納させることは、係合用孔３２５ａ、３２５ｂに第二の係止部３２４ａ、３２４ｂの突起を係合させることによって行われる。また、回動体３０５ａ、３０５ｂを筐体２０に係止させることは係止用爪３０９ａ、３０９ｂを係止用孔３２６ａ、３２６ｂに係合させることによって行われる。
【００５１】
第二には、図５に示すように、壁面に対して卓上・壁掛け兼用型電子機器１０の操作面を上方に傾けて設置する方法である。この方法がとられる場合は、卓上・壁掛け兼用型電子機器１０を掛ける位置が使用者の正面を向いたときの目線よりも下にあるときである。この方法では、スタンド３０を倒伏した状態から起立させ回動体３０５ａ、３０５ｂをストッパー３０７ａ、３０７ｂで制限される垂立位置まで回動する。そして、回動体３０５ａ、３０５ｂはこの垂立した起立状態が第一の係止部３１０ａ、３１０ｂによって保持する。この第一の係止部３１０ａ、３１０ｂによる保持は係止用爪３０９ａ、３０９ｂを係止用孔３０８ａ、３０８ｂに係止することによって達成される。
【００５２】
この状態で、卓上・壁掛け兼用型電子機器１０は壁に設けられたフック４０ａ、４０ｂに第一の壁掛け部３１２ａ、３１２ｂを係止させることにより壁に掛けることができる。この壁掛け状態では、スタンド３０が起立状態で固定された回動体３０５ａ、３０５ｂによってその表面の延長線Ｌ１が筐体２０の上方後縁２０３に至っている。そのため、卓上・壁掛け兼用型電子機器１０は上方後縁２０３とスタンド３０の表面が壁面に接した状態で位置される。
【００５３】
第三には、図７に示すように、壁面に対して卓上・壁掛け兼用型電子機器１０の操作面を下方に傾けて設置する方法である。この方法がとられる場合は、卓上・壁掛け兼用型電子機器１０を掛ける位置が使用者の正面を向いたときの目線よりも上にあるときである。
この方法では、スタンド３０をストッパー３２３ａ、３２３ｂによって制限されるまで大きく回動させて脚部３０１ａ、３０１ｂの裏面を露出させ、回動体３０５ａ、３０５ｂを脚部３０１ａ、３０１ｂに対して回動し，第二の係止部３２４ａ、３２４ｂによって係止する。この係止は回動体３０５ａ、３０５ｂの側壁縁に突起状の第二の係止部３２３ａ，３２３ｂを当接することにより達成する。
【００５４】
この状態で、卓上・壁掛け兼用型電子機器１０は壁に設けられたフック４０ａ、４０ｂに第二の壁掛け部３１７ａ、３１７ｂを係止させることにより壁に掛けることができる。この壁掛け状態では、スタンド３０の裏面側に固定された回動体３０５ａ、３０５ｂの設置面３１６ａ、３１６ｂの延長線Ｌ２が筐体２０の下方後縁にある足２０５ａ、２０５ｂに至っている。そのため、卓上・壁掛け兼用型電子機器１０は設置面３１６ａ、３１６ｂと足２０５ａ、２０５ｂが壁面に接した状態で位置される。
【００５５】
従って、上述した本発明の一実施例の卓上・壁掛け兼用型電子機器１０によれば、従前のように背面２０１に倒伏したスタンド３０を所定の回動角度に起立させることによって
卓上に載置できるが、更に３通りの方法により以下のように種々の形態で壁に掛けることができる。
【００５６】
第一の形態は、スタンド３０を倒伏した状態で第一の壁掛け部３１２ａ、３１２ｂによりフック４０ａ、４０ｂに係止して卓上・壁掛け兼用型電子機器１０を壁に掛けることである。この場合は操作面が壁に平行に位置される（図１、図２参照）。このとき、スタンド３０と回動体３０５ａ、３０５ｂは折りたたまれた状態で背面２０１に接して保持されているので卓上・壁掛け兼用型電子機器１０の厚みを増加させない。
【００５７】
第二の形態は、スタンド３０を倒伏状態から起立させ、第一の保持部３１１ａ、３１１ｂによって脚部３０１ａ、３０１ｂの表面の延長線Ｌ１上に筐体２０の上方縁部２０３を位置させる。そして、第一の壁掛け部３１２ａ、３１２ｂによりフック４０ａ、４０ｂに係止して卓上・壁掛け兼用型電子機器１０を壁に掛けることである。この場合は操作面が壁に対して上方を向いて位置される（図４、図５参照）。
【００５８】
この第二の形態におけるスタンド３０は、第一の保持部３１１ａ、３１１ｂによってその位置が保持されるが、その構成が脚部３０１ａ、３０１ｂから起立保持された回動体３０５ａ、３０５ｂと、回動体３０５ａ、３０５ｂの先端を筐体２０に係止した第一の係止部３１０ａ、３１０ｂなどからなる。そのため、卓上・壁掛け兼用型電子機器１０は操作面が強く押圧されても傾きの位置が変化してしまうことがない。
【００５９】
第三の形態は、スタンド３０を倒伏状態から大きく起立させて裏面を露出させると共に、回動体３０５ａ、３０５ｂを倒伏状態から起立させ第二の保持部３２２ａ、３２２ｂによって設置面３１６ａ、３１６ｂの表面の延長線Ｌ２上に筐体２０の足２０４ａ、２０４ｂを位置させる。そして、設置面３１６ａ、３１６ｂにある第二の壁掛け部３１２ａ、３１２ｂによりフック４０ａ、４０ｂに係止して卓上・壁掛け兼用型電子機器１０を壁に掛けることである。この場合は操作面が壁に対して下方を向いて位置される（図６、図７参照）。
【００６０】
この第三の形態においては、設置面３１６ａ、３１６ｂがその延長線Ｌ２上に足２０５ａ、２０５ｂがあるように第二の保持部３２２ａ、３２２ｂによって保持される。第二の保持部３２２ａ、３２２ｂの構成は、脚部３０１ａ、３０１ｂを裏面が露出するように大きく回動させたところで回動を制限するストッパー３２３ａ、３２３ｂと、回動体３０５ａ、３０５ｂの回動位置を所定の位置で係止する第二の係止部３２５ａ、３２５ｂなどを用いている。そのため、卓上・壁掛け兼用型電子機器１０操作面を強く押圧されても傾きの位置が変化してしまうことがない卓上・壁掛け兼用型電子機器を提供できる。
【００６１】
第一の形態、第二の形態及び第三の形態の選択は、スタンド３０と回動体３０５ａ、３０５ｂを所定の位置に回動して保持するだけの簡単な方法で達成できる。
【００６２】
また、卓上・壁掛け兼用型電子機器１０は、その背面２０１が直接的に壁に接して掛けられ壁面から大きく突出して邪魔をすることがない。
【００６３】
なお、上記実施例においては、卓上・壁掛け兼用型電子機器１０として電話機を適用した場合について説明したが、本発明はこれに限定されることなく情報端末装置、遠隔制御装置などの種々の電子機器に適用できる。
【００６４】
また、上記実施例においては、スタンド３０は一対の脚部３０１ａ、３０１ｂからなるが、本発明はこれに限定されることなく単一の脚部であってもよいなど種々変形することができる。
【符号の説明】
【００６５】
１０・・・・・・・・卓上・壁掛け兼用型電子機器
２０・・・・・・・・筐体
３０・・・・・・・・スタンド
４０ａ、４０ｂ・・・フック
２０１・・・・・・・背面
２０２・・・・・・・前面
２０３・・・・・・・上方後縁
２０４ａ、２０４ｂ・・・突起
２０５ａ、２０５ｂ・・・足
３０１ａ、３０１ｂ・・・脚部
３０２・・・・・・・連結部
３０３ａ、３０３ｂ・・・第一の支軸
３０４ａ、３０４ｂ・・・凹部
３０５ａ、３０５ｂ・・・回動体
３０６ａ、３０６ｂ・・・第二の支軸
３０７ａ、３０７ｂ・・・ストッパー
３０８ａ、３０８ｂ・・・係止用孔
３０９ａ、３０９ｂ・・・係止用爪
３１０ａ、３１０ｂ・・・第一の係止部
３１１ａ、３１１ｂ・・・第一の保持部
３１２ａ、３１２ｂ・・・第一の壁掛け部
３１３ａ、３１３ｂ・・・開口
３１４ａ、３１４ｂ・・・切り欠き
３１５ａ、３１５ｂ・・・係止用プレート
３１６ａ、３１６ｂ・・・設置面
３１７ａ、３１７ｂ・・・第二の壁掛け部
３１８ａ、３１８ｂ・・・開口
３１９ａ、３１９ｂ・・・切り欠き
３２０ａ、３２０ｂ・・・係止用プレート
３２１ａ、３２１ｂ・・・突起
３２２ａ、３２２ｂ・・・第二の保持部
３２３ａ、３２３ｂ・・・ストッパー
３２４ａ、３２４ｂ・・・第二の係止部
３２５ａ、３２５ｂ・・・係合用孔
３２６ａ、３２６ｂ・・・係合用孔
【図１】
2011078061.tif 000003
【図２】
2011078061.tif 000004
【図３】
2011078061.tif 000005
【図４】
2011078061.tif 000006
【図５】
2011078061.tif 000007
【図６】
2011078061.tif 000008
【図７】
2011078061.tif 000009
【図８】
2011078061.tif 000010
【図９】
2011078061.tif 000011
【図１０】
2011078061.tif 000012
【図１１】
2011078061.tif 000013
【図１２】
2011078061.tif 000014
【図１３】
2011078061.tif 000015